(57)【要約】【課題】コピー機能およびプリンタ機能を備えた画像形成装置において、コピー出力とプリンタ出力が混在した出力物を複数部作成するときのユーザの使用勝手を向上させる画像形成装置を提供する。【解決手段】この画像形成装置は、コピー機能、プリンタ機能および出力ジョブを格納管理するファイリング機能を有する画像形成装置であって、コピー原稿をコピージョブとして読み込むごとに、既に格納管理されている出力ジョブを結合して、新たな出力ジョブを生成して、印字出力するものである。【選択図】図５
2009188505.tif 000002
【特許請求の範囲】
【請求項１】
コピー機能、プリンタ機能および出力ジョブを格納管理するファイリング機能を有する画像形成装置において、コピー原稿をコピージョブとして読み込むごとに、既に格納管理されている出力ジョブを結合して、新たな出力ジョブを生成することを特徴とする画像形成装置。
【請求項２】
請求項１に記載の画像形成装置において、前記新たな出力ジョブを保存することを特徴とする画像形成装置。
【請求項３】
請求項１または２に記載の画像形成装置において、前記出力ジョブを任意に選択させて結合処理を行うことを特徴とする画像形成装置。
【請求項４】
請求項３に記載の画像形成装置において、前記出力ジョブに予め結合対象であることを示す情報を付与しておき、該情報が付与された出力ジョブを優先的に表示させて、該出力ジョブを選択しやすくしたことを特徴とする画像形成装置。
【請求項５】
請求項３または４に記載の画像形成装置において、前記出力ジョブを選択する際に、該出力ジョブの印字イメージの概略表示を行うことを特徴とする画像形成装置。
【請求項６】
コピー機能、プリンタ機能および出力ジョブを格納管理するファイリング機能を有する画像形成装置において、コピー原稿を読み取ったコピージョブと出力ジョブとを格納すると共に、該各ジョブに特定情報を付与した特定情報付原稿を印字し、該特定情報を基に並べ替えられた特定情報付原稿を読み込ませながら、読み取った特定情報を基に、前記コピージョブと前記出力ジョブとを並べ替えて新たな出力ジョブを生成することを特徴とする画像形成装置。
【請求項７】
請求項６に記載した画像形成装置において、前記特定情報は、各ジョブのファイル名とページ番号であることを特徴とする画像形成装置。
【発明の詳細な説明】
【技術分野】
【０００１】
本発明は、コピー機能およびプリンタ機能を備え、これら出力ジョブを格納管理し再印字取り出し等が可能なファイリング機能を有する画像形成装置に関する。
【背景技術】
【０００２】
従来、コピー出力とプリント出力が混在した出力物を複数部作成する場合、コピーおよびプリントを必要部数出力し、１部ずつ並べ替えを行い、場合によってはステープルで綴じる等の必要があるため、手間と時間を要している。
【０００３】
コピー出力にプリント出力を差し込む作業は、既存の合紙機能等を活用することで、小枚数については可能であるが、差し込む回数や部数が大量の場合、容易に作成することは困難である。
また、このような手作業による並べ替えでは、ページの抜けやダブりが生ずる場合がでてくる。
【０００４】
簡単な方法としては、一度プリント出力を作成し、コピー原稿に差し挟んでからコピーすると大量部数を作成できるが、プリント出力分は１世代目のプリント出力と比べると画質が劣る場合が多い。
【０００５】
また、一度プリント出力を作成する代わりに、ユーザがコピー原稿をスキャンして、画像形成装置にスキャンジョブとして送信しておき、画像形成装置にてスキャンジョブとプリントジョブとして送られてきているジョブを１つのジョブに結合することによっても、印刷物を作成できる。しかし、印字の際にコピーと同等の出力画質を得るためには、スキャン時の解像度設定や画質設定を高画質に設定する必要があり、大容量の画像データを取り扱う場合には、ユーザのコンピュータ環境によっては処理に時間を要したり動作が不安定になる懸念がでてくる。
【０００６】
特許文献１では、既に記憶してある複数のジョブから選択したジョブを結合して印字しているが、これから読み込むコピージョブと既に記憶されたプリントジョブの順序を並び替えて結合して出力するものではない。
【特許文献１】特開２００７−１９９６４号公報
【発明の開示】
【発明が解決しようとする課題】
【０００７】
本発明は、上述の実情を考慮してなされたものであって、コピー機能およびプリンタ機能を備えた画像形成装置において、コピー出力とプリンタ出力が混在した出力物を複数部作成するときのユーザの使用勝手を向上させる画像形成装置を提供することを目的とする。
【課題を解決するための手段】
【０００８】
上述課題を解決するために、本発明の画像形成装置は、コピー機能、プリンタ機能および出力ジョブを格納管理するファイリング機能を有する画像形成装置であって、コピー原稿をコピージョブとして読み込むごとに、既に格納管理されている出力ジョブを結合して、新たな出力ジョブを生成し、この新たな出力ジョブを印字することによって、コピージョブとプリントジョブを混載した印刷物を作成することができる。
【０００９】
ここで、前記新たな出力ジョブを保存するようにし、これを再印字させることによっていつでも同一の出力物を得ることができる。
また、結合処理を行うときに、前記出力ジョブを一覧表示させて、この中から任意に選択することによって、コピージョブと結合させる。この一覧表示では、前記出力ジョブに予め結合対象であることを示す情報を付与しておき、該情報が付与された出力ジョブを優先的に表示させるようにして、該出力ジョブを選択しやすくしてもよいし、前記出力ジョブを選択する際に、該出力ジョブの印字イメージの概略表示を行うようにして、選択するジョブを確実に行えるようにしてもよい。
【００１０】
また、この画像形成装置は、コピー機能、プリンタ機能および出力ジョブを格納管理するファイリング機能を有する画像形成装置において、コピー原稿を読み取ったコピージョブと出力ジョブとを格納すると共に、該各ジョブに特定情報（各ジョブのファイル名とページ番号）を付与した特定情報付原稿を印字し、該特定情報を基に並べ替えられた特定情報付原稿を読み込ませながら、読み取った特定情報を基に、前記コピージョブと前記出力ジョブとを並べ替えて新たな出力ジョブを生成し、この出力ジョブを印字することによって、コピージョブとプリントジョブを混載した印刷物を作成することができる。
ここで、前記新たな出力ジョブを保存するようにし、これを再印字させることによっていつでも同一の出力物を得ることができる。
【発明の効果】
【００１１】
本発明によれば、コピージョブとプリントジョブが複数混在した多部数の出力を、従来に比べて、手作業による並べ替えをなくすことができ、作業の手間および作業時間の削減が可能となる。
また、手作業での並べ替えがないので、ダブりや欠け等のミスがなくなり、全て同一内容の出力物を作成できる。
【発明を実施するための最良の形態】
【００１２】
以下、図面を参照して本発明の画像形成装置に係る好適な実施形態について説明する。
【００１３】
＜実施形態１＞
実施形態１の動作を、次のような例を基にして説明する。
複数のプリント出力と複数のコピー出力とを混合した出力物を複数部作成するときに、例えば、３つのコピー原稿（複数枚可）から作成した３つの複製物Ｃ１，Ｃ２，Ｃ３と文書アプリケーション等から画像形成装置に出力された３つのプリントジョブＰ１，Ｐ２，Ｐ３とを結合させて１つのジョブとし、その１つのジョブから１００部を印刷する。
このときの出力順序は、Ｃ１、Ｐ１、Ｐ２、Ｃ２、Ｐ３、Ｃ３とする。
【００１４】
まず、本実施形態１の構成について説明する。
図１は、本実施形態１に係る画像形成システムの概要を示す構成図である。図１において、画像形成システム１は、画像形成装置２と、外部の複数のクライアント用コンピュータ（ＰＣという）３とからなり、画像形成装置２は、各ＰＣ３とネットワーク４を介して接続され、各ＰＣ３からの画像データや信号を受信可能となっている。
【００１５】
図２は、本実施形態１に係る画像形成装置の制御概要を示す構成図である。図２において、画像形成装置２は、受信部１１、画像読取部１２、操作部１３、ジョブ管理部１４、記憶部１５、画像形成部１６、制御部１７等を備えている。
【００１６】
受信部１１は、受信したＰＣ３からの画像データなどをプリントジョブとしてジョブ管理部１４に送る。
画像読取部１２は、原稿台にセットされたコピー原稿の画像を読み取って、コピージョブとしてジョブ管理部１４に送る。
【００１７】
操作部１３は、ユーザが入力操作に使うスタートボタン、ストップボタン、管理ジョブの登録などを決定するために使用するＥｎｔｅｒキー、さらには、テンキー等を備え、入力操作した内容を表示したり、後述するジョブ結合操作等の画面を表示するＬＣＤを備えている。
【００１８】
ジョブ管理部１４は、画像読取部１２から送られてくるコピージョブやＰＣ３から受信したプリントジョブを記憶部１５に記憶させるとともに、各ジョブをスケジュールする。
画像形成部１６は、ジョブ管理部１４から渡されたジョブのプリント処理を実行する。
制御部１７は、装置全体を統括制御する他、コピージョブとプリントジョブの結合処理を実行させる。
【００１９】
次に、ＰＣ３により、複数のプリントジョブを画像形成装置２へ送る手順について説明する。
ＰＣ３において、プリント作成のためのアプリケーションプログラムを実行し、印刷指示を実行する。その際、プリント出力対象である画像形成装置２のプリンタドライバ設定において、プリントジョブを画像形成装置２に格納する設定を行う（図３）。
【００２０】
この設定は、図３において、プリンタドライバ設定画面の各種設定タブのジョブハンドリング機能設定タブ３０に各種の設定を行うことによって実現する。このうち、項目「リテンション」のチェックボックス３１にチェックすることによりプリントジョブが画像形成装置２の記憶部１５に格納される。
ここで、ラジオボタン３２がオンのときには、印刷を行わずにプリントジョブを格納するだけである。また、ラジオボタン３３がオンのときには、印刷後にプリントジョブを格納するものである。
【００２１】
さらに、プリントジョブがジョブ結合対象であることを示すため、チェックボックス３４をチェックする。この指示により、ジョブを結合するときの順序を指定する際に、他のジョブより優先的に表示される。さらに、プリントジョブを格納するときのファイル名およびフォルダ名を指定してもよい。
ここで、ファイル名やフォルダ名を指定しない場合には、標準的なファイル名やフォルダ名が使われるが、ファイル名および保存先フォルダ名を指定しておけば、結合するジョブを選択するときに、ジョブを容易に識別することができる。
【００２２】
このように、プリンタドライバ設定を行った後に、アプリケーションプログラムによって３つのプリントを行うと、各プリントジョブが画像形成装置２へ送られる。このプリントジョブは、プリンタドライバ設定で行った各種の設定値と印刷のためのデータとから構成される。
【００２３】
画像形成装置２では、受信部１１で受け取ったプリントジョブをジョブ管理部１４に渡す。ジョブ管理部１４では、プリントジョブに付された設定値を調べ、「印刷せずにホールド」が指定されていれば、ファイル名を与えてプリントジョブ用のフォルダに格納する。また、「印刷後ホールド」が指定されていれば、プリントジョブを印刷待ちに入れると共に、ファイル名を与えてプリントジョブ用のフォルダに格納する。
また、「ジョブ結合対象」の指示がある場合には、ファイル名を与えた後、プリントジョブ用のフォルダではなく、優先表示フォルダへ格納する。
さらに、ファイル名やフォルダ名が指定されているときには、指定された名前が与えられて格納される。これらのファイルやフォルダの格納領域は、記憶部１５に確保される。
【００２４】
本例では、ＰＣ３から受信した３つのプリントジョブＰ１，Ｐ２，Ｐ３は、印刷されずに、優先表示フォルダに規定の方法で命名されたファイル（記憶部１５）に格納される。
【００２５】
次に、コピージョブとプリントジョブの結合処理について説明する。
画像形成装置２の操作部１３に表示されている待機状態の画面３５にて、ユーザが「ジョブ結合」ボタン３６を押すと、制御部１７はジョブ結合モードに入る（図４）。
この制御部１７は、図５のフローチャートに示す手順でジョブ結合モードを実行する。
【００２６】
まず、編集したいジョブ並びリストを選択する（ステップＳ１）。
ジョブ結合モードが選択されると、図６のようなリスト選択画面３７を表示し、ジョブを結合する順序を記憶するジョブ並びリストの一覧が表示される。
ここで、ユーザがジョブ並びリストの一覧の中から編集したいリスト名にタッチして「選択」ボタン３８を押す。
また、この一覧に編集したいリスト名がなければ「新規リスト」ボタン３９を押す。この場合、新たに名づけた空のジョブ並びリストが生成される。
【００２７】
次に、コピー原稿を本体にセットして通常コピー動作と同様に原稿を読み込ませる（ステップＳ２）。
制御部１７は、ジョブ並びリストの選択が終了すると、結合対象の原稿入力待機画面４１を表示する。ここで、ユーザは、本体にコピー原稿をセットし、Ｅｎｔｅｒキーを押すと、画像読取部１２により原稿が読み込まれる。制御部１７は、コピー原稿の読み込みが完了後、読み取った画像データをコピージョブとしてファイル名を付けて記憶部１５に格納すると共に、このコピージョブのファイル名をジョブ並びリストに追加して、確認画面４５を表示し（図８）、ユーザが「リスト編集」ボタン４６を押すと、リスト選択画面５０を表示する（図９）。
【００２８】
次に、ジョブの結合順序を指定するためにジョブ並びリストを編集する（ステップＳ３）。
このリスト編集画面５０の左側には、現在編集中のジョブ並びリスト名５１とこのリスト中に記憶されているジョブの一覧５２が表示される。本例の場合、コピージョブの後に編集に入ったので、一覧５２の１番目にコピーＣ１が表示されている。
また、リスト編集画面５０の右側には、ジョブの種類ごとのタブを持った格納ジョブリスト５３が表示される。このタブには、例えば、優先表示ジョブ、コピージョブ、プリントジョブ等がある。このうち、優先表示ジョブタブ５４には、ジョブハンドリング機能設定タブ３０でジョブ結合対象のチェックボックス３４にチェックしたジョブのファイル名、ユーザ名や作成日時等が表示される。本例では、プリントジョブＰ１、Ｐ２、Ｐ３が一覧表示される。
このように、プリントジョブの送信側（ＰＣ３）で結合対象であることを示す情報を付与しておけば、リスト編集時には優先表示がなされるので、より簡単に操作を行うことができる。
【００２９】
ユーザは、リスト編集画面５０の優先表示ジョブタブ５４に表示されたファイル名をタッチして、「追加」ボタン５５を押す。ここで、選択するプリントジョブの印刷イメージを操作部１３に表示できるようにすれば、追加したいプリントジョブを確実に識別することができる。
制御部１７は、この選択されたファイル名をジョブ並びリスト５２に追加する。ここで、選択されたプリントジョブは、ジョブ並びリストの最後に追加されるが、予め挿入位置を選択しておくことにより、ジョブ並びリストの任意の位置に挿入することができる。
この追加作業は、必要に応じて繰り返し行う。
【００３０】
本例では、プリントジョブＰ１とＰ２とを順に選択して追加することによって、ジョブ並びリストには、コピージョブＣ１、プリントジョブＰ１、プリントジョブＰ２の順に追加表示される。
【００３１】
次に、コピー原稿の追加があった場合に、ユーザはリスト編集画面５０において「コピー追加」ボタン５７を押す。
制御部１７では、「コピー追加」ボタン５７が押されると（ステップＳ４／ＹＥＳ）、ステップＳ２へ戻って追加のコピー原稿を読む。
このように、操作部１３上で選択しながら作業を進めて行けるので、結合させるジョブを出力順に並べていく操作をより簡単に行うことができる。
【００３２】
本例では、ユーザは、本体にコピー原稿をセットし、通常コピー動作と同様に原稿を読み込ませる。原稿読込みが完了後、読み取ったコピージョブＣ２が本体に格納され、ジョブ並びリストにコピージョブＣ２が追加され、ジョブ並びリスト５２には、コピージョブＣ１、プリントジョブＰ１、プリントジョブＰ２、コピージョブＣ２の順に表示される。
そして、優先表示ジョブタブ５４からプリントジョブＰ３を選択して、「追加」ボタン５５を押して、ジョブ並びリスト５２に追加する。
【００３３】
これにより、ジョブ並びリスト５２には、コピージョブＣ１、プリントジョブＰ１、プリントジョブＰ２、コピージョブＣ２、プリントジョブＰ３の順に表示される。
本例では、さらに、コピー原稿を入力するので、「コピー追加」ボタン５７を押して、上記と同じ手順でコピー原稿を読み込ませると、ジョブ並びリスト５２には、コピージョブＣ１、プリントジョブＰ１、プリントジョブＰ２、コピージョブＣ２、プリントジョブＰ３、コピージョブＣ３の順に表示される。
【００３４】
次に、ジョブの結合順序の指定が終わった場合に、ユーザはリスト編集画面５０において「ジョブ化」ボタン５６を押す。
制御部１７では、「ジョブ化」ボタン５６が押されると（ステップＳ４／ＮＯ、ステップＳ５／ＹＥＳ）、ジョブ並びリストに登録されたすべてのジョブを記憶部１５から読み出して、１ジョブに結合する（ステップＳ６）。
制御部１７では、ジョブの結合後、ジョブ結合確認画面６０を表示して、結合した新ジョブを作成する際に、ジョブ並びリストと構成要素の各ジョブが不要であるかを確認する（図１０）。
【００３５】
ユーザは、これまでの結合操作に間違いがあれば、「戻る」ボタン６１を押して、リスト編集画面５０へ戻る。
また、これまでの結合操作に問題はないが、作成されたジョブ並びリストと構成要素の各ジョブを削除したくない場合には、「削除せずに新規ジョブ作成」ボタン６３を押すが、それらが必要ないときには、「削除して新規ジョブ作成」ボタン６２を押す。このとき、新規ジョブに任意のファイル名（ここでは、Ｍ１とする）が付けられて保存される。
【００３６】
このように、結合対象の各プリントジョブを残しておいたときには、他のコピー原稿を読み込ませて、残しておいたプリントジョブと結合することにより、通常コピーを取る場合と同様に、プリントジョブとの混在ジョブを作成することができる。
【００３７】
次に、結合モードで作成された新規ジョブの出力部数を設定して（ステップＳ７）、設定された部数分を印刷して、処理を終了する（ステップＳ８）。
上述のように結合した新規ジョブＭ１は、出力時の設定画面６４（図１１）を用いて、他のコピーやプリントのジョブと同様に印字設定および印字ができる。
【００３８】
まず、ユーザは、ジョブの並び替えに問題ない場合には、出力部数６５に１を設定し、「印刷後データを保存」ボタン６７を押すと、制御部１７では、画像形成部１６により、ジョブＭ１を１部印字する。
ユーザは、この出力に問題ないと判断した場合、出力部数６５に残りの９９部を設定し、「印刷後データを保存」ボタン６７を押すと、制御部１７では、画像形成部１６により、ジョブＭ１を９９部印字させる。しかし、部数が多いあるいは１部あたりの枚数が多い場合などには、出力タイミングを指定して後で印字するようにしても構わない。
また、ユーザが印刷のみ必要と判断したときには、「印刷後データを削除」ボタン６６を押すことによって、設定した部数を印刷後にジョブを削除することができる。
【００３９】
このように、一度結合したジョブを作成し保存しておくことにより、１部から多部数まで簡単に印刷できるので、必要部数以上に印刷しておく必要がなくなり、用紙の無駄を省くことができる。
さらに、並べ替えが済んでいるので、ステープル等仕上げまで一貫して出力できるので、人的作業が介在する必要がなくなり、夜間など比較的本体を占有しても問題ない時間を指定して大量部数の出力を作成することができる。
また、ジョブ並びリストや構成要素ジョブを一括削除する指定した場合、記憶容量の節約ができる。
【００４０】
また、ユーザがリスト編集の途中で編集を終了したい場合には、リスト編集画面５０にて、「編集終了」ボタン５８を押す。
制御部１７では、「編集終了」ボタン５８が押されると（ステップＳ４／ＮＯ、ステップＳ５／ＮＯ）、ジョブ並びリストを保存して処理を終了する（ステップＳ９）。
編集終了画面６８では、「戻る」ボタン６９、「リストを保存して終了」ボタン７０または「リストを保存せずに終了」ボタン７１を選択して押すことができる。
【００４１】
＜実施形態２＞
実施形態２の画像形成システムおよび画像形成装置の構成は、図１および図２に示した実施形態１と同じであるから説明を省略する。また、実施形態２の動作についても、実施形態１と同じ例を用いて説明する。
【００４２】
まず、ＰＣ３により、複数のプリントジョブを画像形成装置２へ送る手順について説明する。
ＰＣ３において、プリント作成のためのアプリケーションプログラムを実行し、印刷指示を実行する。その際、プリント出力する画像形成装置のプリンタドライバ設定において、プリントジョブを画像形成装置２に格納する設定を行う（図１３）。
【００４３】
この設定は、図１３に示すように、図３のプリンタドライバ設定画面のジョブハンドリング機能設定タブ３０に「ジョブ結合用コード印字」チェックボックス８１を加えたものである。このジョブ結合用コード印字のチェックボックス８１をチェックすると、プリント印字されたハードコピー（用紙）の各ページ上にコード（例えば、プリントジョブ名およびそのジョブの何ページ目であるかの情報）を合わせて印字する。
【００４４】
このように、プリンタドライバ設定を行った後に、アプリケーションプログラムによって３つのプリントを行うと、各プリントジョブが画像形成装置２へ送られる。このプリントジョブは、プリンタドライバ設定で行った各種の設定値と印刷のためのデータとから構成される。
【００４５】
画像形成装置２では、受信部１１で受け取ったプリントジョブをジョブ管理部１４に渡す。
ジョブ管理部１４では、実施形態１と同様に、プリントジョブに付された設定値に応じて、プリントジョブの格納処理が行われるとともに、各プリントジョブのプリント出力を作成する。但し、プリント出力には、所定の位置にコード（各プリントジョブのファイル名とジョブ毎のページ番号）が付与されている。
【００４６】
本例では、ＰＣ３から受信した３つのプリントジョブＰ１，Ｐ２，Ｐ３は、優先表示フォルダに規定の方法で命名されたファイル（記憶部１５）に格納されるとともに、各プリントジョブのプリント出力には命名されたファイル名とジョブ毎のページ番号が所定の位置に付与されて印刷される。
【００４７】
次に、コピージョブとプリントジョブの結合処理について説明する。
まず、画像形成装置２の操作部１３に表示されている待機状態の画面３５にて、ユーザが「ジョブ結合」ボタン３６を押すと、制御部１７はジョブ結合モードに入る（図４）。
制御部１７は、ジョブ結合モードに入ると、結合対象の原稿入力待機画面４１を表示する（図７）。
制御部１７は、ユーザが「コード印字」ボタン４４を押すと、ジョブ結合用コード印字コピーモードに移行して、図１４のフローチャートに示す手順でジョブ結合用コード印字コピーモードを実行する。
【００４８】
次に、すべてのコピー原稿を本体にセットして通常コピー動作と同様に原稿を読み込ませて、所定の位置にコードが印字されたコード付きの原稿を印刷する（ステップＳ１１）。
制御部１７は、ジョブ結合用コード印字コピーモードになると、結合対象の原稿入力待機画面９０を表示する（図１５）。
ここで、ユーザは、本体にすべてのコピー原稿をまとめてセットし、Ｅｎｔｅｒキーを押すと、画像読取部１２により原稿を読み込み、制御部１７は読み込んだすべてのコピー原稿に対して、コード（既定のファイル名とページ番号）を付して印刷を行うと共に、付与したファイル名のファイルへコピージョブとして格納する。
【００４９】
次に、ユーザは、今回のコピージョブが印刷した結果と、先にプリントジョブで印刷した結果とをページごとに並べ替えて、最終的な印刷結果となるようなコード付き原稿を用意する。
本例では、出力順序が、Ｃ１、Ｐ１、Ｐ２、Ｃ２、Ｐ３、Ｃ３となるように、出力結果を並び替えたコード付き原稿を用意する。
【００５０】
上記の作業をした後、ユーザは、本体にコード付きの原稿をセットして「コード入力」ボタン９１を押すと、制御部１７は、画像読取部１２によりコード付きの原稿が読み込まれる（ステップＳ１２）。
【００５１】
制御部１７は、読み込んだコード付きの原稿の所定位置に印刷されているコード（ファイル名とページ番号）を認識し、先に記憶したコピージョブとプリントジョブとを参照して、同じコード（ファイル名で且つ同じページ番号）にあたるページデータを抽出して、新しいジョブへ追加生成することによって、ユーザの指定した順番に並び替える（ステップＳ１３）。
【００５２】
制御部１７は、すべてのコード付きの原稿が読み込まれた後、ジョブに所定の名前を付けて保存する（ステップＳ１４）。本例では、保存名をＭ１とする。
【００５３】
次に、ジョブ結合用コード印字コピーモードで作成されたジョブの出力部数を設定して、設定された部数分を印刷して、処理を終了する（ステップＳ１５）。
上述のように結合したジョブＭ１は、実施形態１と同様に、出力時の設定画面６４（図１１）を用いて、他のコピーやプリントのジョブと同様に印字設定および印字ができる。
【００５４】
上記では、コード付きのハードコピーを使ってページの入れ替えを行っていたが、ハードコピーを作らずに印刷イメージを格納しておき、操作部やＰＣの表示装置にこの印刷イメージを表示させながらページの並べ替え作業を行ってから、並び替えられた印刷イメージを読み込んで、各ジョブのページを並び替えた結合ジョブを作り出すように構成することによって、より一層容易に画質劣化の無い混在出力を得ることができる。
【００５５】
尚、本発明は上述した実施形態に限定されず、本発明の要旨を逸脱しない範囲内で各種の変形、修正が可能であるのは勿論である。
例えば、上記の実施形態では、コピー原稿を読み込ませながらプリント出力と結合操作を行うようにしていたが、コピー原稿を予め画像形成装置内に読み込んでコピージョブとして格納しておき、ジョブの並べ替えや結合操作を、画像形成装置本体またはネットワークを介してＰＣで行うことによって、印字データそのものは本体に既に格納されているものであり、並べ替えの順序のみを指定するため、処理が軽くすみ、また大容量の画像データのやりとりが存在せず、画質も本来のプリントおよびコピーと全く同質とすることができる。
【００５６】
また、上述の実施形態では予め読み込んだプリントジョブをそのまま結合操作していたが、結合処理中または結合処理をさせる前に、１つのプリントジョブを任意のページ数で複数ジョブに分割したり、また、プリントジョブの任意のページを削除するようにしてもよい。
【図面の簡単な説明】
【００５７】
【図１】実施形態１に係る画像形成システムの概要を示す構成図である。
【図２】実施形態１に係る画像形成装置の制御概要を示す構成図である。
【図３】実施形態１に係るドライバー設定画面例である。
【図４】画像形成装置の待機状態を示す画面例である。
【図５】実施形態１に係るジョブ結合モードの実行手順を示すフローチャートである。
【図６】実施形態１に係るリスト編集モードのリスト選択画面例である。
【図７】実施形態１に係る原稿入力待機画面例である。
【図８】実施形態１に係る原稿入力後確認画面例である。
【図９】実施形態１に係るリスト編集画面例である。
【図１０】実施形態１に係るジョブ結合確認画面例である。
【図１１】出力時の設定画面例である。
【図１２】実施形態１に係るリスト編集終了画面例である。
【図１３】実施形態２に係るドライバー設定画面例である。
【図１４】実施形態２に係るジョブ結合用コード印字コピーモードの実行手順を示すフローチャートである。
【図１５】ジョブ結合用コード印字コピーモードの原稿入力待機画面例である。
【符号の説明】
【００５８】
１…画像形成システム、２…画像形成装置、３…ＰＣ、４…ネットワーク、１１…受信部、１２…画像読取部、１３…操作部、１４…ジョブ管理部、１５…記憶部、１６…画像形成部、１７…制御部、３０…ドライバー設定画面、３５…待機状態画面、３７…リスト選択画面、４１，９０…原稿入力待機画面、４５…原稿入力後確認画面、５０…リスト編集画面、６０…ジョブ結合確認画面、６４…出力時の設定画面、６８…編集終了画面。
【図１】
2009188505.tif 000003
【図２】
2009188505.tif 000004
【図３】
2009188505.tif 000005
【図４】
2009188505.tif 000006
【図５】
2009188505.tif 000007
【図６】
2009188505.tif 000008
【図７】
2009188505.tif 000009
【図８】
2009188505.tif 000010
【図９】
2009188505.tif 000011
【図１０】
2009188505.tif 000012
【図１１】
2009188505.tif 000013
【図１２】
2009188505.tif 000014
【図１３】
2009188505.tif 000015
【図１４】
2009188505.tif 000016
【図１５】
2009188505.tif 000017